(57)【特許請求の範囲】
【請求項１】
通帳記帳システムであって、
複数の金融機関にそれぞれ用いられる個々の通帳に記帳すべき印字情報を配信する中継センタと、
前記中継センタにネットワークを介して接続され、前記中継センタから配信される印字情報に応じて記帳処理を実行可能な通帳記帳装置と、
通帳の磁気ストライプから口座識別情報を読み取り、前記口座識別情報に対応付けられた通帳ＩＤを取得するとともに、前記通帳ＩＤが登録されたＩＤシールを発行するＩＤ登録装置と、
を備え、
前記通帳記帳装置は、
前記磁気ストライプとは別に前記通帳に貼付された前記ＩＤシールから前記通帳ＩＤを読み取るＩＤ読取部と、
前記読み取った通帳ＩＤを含む印字情報要求を前記中継センタに送信して、前記中継センタから、前記通帳に記帳すべき印字情報を取得する印字情報取得部と、
前記通帳ＩＤに従って決定される前記通帳に適した印字フォームを用い、前記印字情報に従って前記通帳への印字を実行する通帳印字部と、
を備え、
前記通帳ＩＤは、前記磁気ストライプに記録されている口座識別情報を含まない固有識別情報であり、
前記ＩＤ登録装置は、前記口座識別情報を含むＩＤ発行要求を前記中継センタに送信し、
前記中継センタは、
（ｉ）前記ＩＤ登録装置から受けたＩＤ発行要求に応じて前記ＩＤ登録装置に通帳ＩＤを発行し、
（ｉｉ）前記通帳ＩＤの発行時に、前記通帳ＩＤと前記口座識別情報との対応関係を通帳情報データベースに登録するとともに、前記通帳ＩＤが貼付された通帳に印字すべき印字情報を前記通帳情報データベースを登録し、
（ｉｉｉ）前記通帳記帳装置から印字情報要求を受信すると、前記受信した印字情報要求に含まれる通帳ＩＤを用いて前記通帳情報データベースを参照して金融機関及び通帳を特定するとともに、特定した通帳に適した印字情報を前記通帳記帳装置に返信する、通帳記帳システム。
【請求項２】
請求項１記載の通帳記帳システムであって、
前記印字情報取得部は、前記印字情報要求の応答として、前記中継センタから、前記印字情報とともに前記通帳に適した印字フォームの種類を示す印字フォームタイプ情報を取得し、
前記通帳印字部は、予め用意された複数の印字フォームの中から、前記印字フォームタイプ情報に従って前記前記通帳に適した印字フォームを選択する、通帳記帳システム。
【請求項３】
請求項１記載の通帳記帳システムであって、
前記通帳印字部は、予め用意された複数の印字フォームの中から、前記通帳ＩＤに従って前記通帳に適した印字フォームを選択する、通帳記帳システム。
【請求項４】
請求項１記載の通帳記帳システムであって、
前記印字情報取得部は、前記印字情報要求の応答として、前記中継センタから、前記印字情報とともに前記通帳に適した印字フォームを取得する、通帳記帳システム。
【発明の詳細な説明】
【技術分野】
【０００１】
本発明は、複数の金融機関の通帳に対して記帳処理を行うことができる通帳記帳システム及びそのための装置に関するものである。
【背景技術】
【０００２】
銀行等の金融機関において、利用者は金融機関の店舗に設置されたＡＴＭ（現金自動取引装置）を利用して現金の入出金処理を行うことが可能である。近年では、オンライン提携された他の金融機関の口座の入出金処理を行うことも可能となっている。
【０００３】
しかし、一般的に金融機関の通帳は金融機関毎に異なる仕様（磁気ストライプの位置／フォーマットや、通帳上の項目配置等）を有している。このため、或る店舗で他行の口座の入出金処理を行う場合は、カードを使用した取引のみに限定されており、通帳への記帳はできないのが現状である。
【０００４】
このような不便を解消するための技術が、特許文献１に開示されている。この従来技術では、通帳の磁気ストライプを読み取れなかった場合には、キャッシュカード（銀行カード）から取引情報を読み取って取引先金融機関を特定し、通帳への記帳処理を実行する。
【０００５】
しかしながら、この従来技術では、通帳へ記帳したい利用者は必ず通帳とキャッシュカードの両方を用意する必要があり、単に記帳のみをしたい利用者には必要以上の準備を強いることになるという問題があった。
【０００６】
更に、最近では金融機関の店舗だけでなく、コンビニエンスストアのような非金融機関の店舗にもＡＴＭが設置されるようになっている。年中無休の業態や、全国各地に展開されている大規模な店舗数という点で、コンビニエンスストア設置ＡＴＭの利便性は非常に高いが、コンビニエンスストア設置ＡＴＭは通帳を取り扱う機能を有していない。このため、コンビニエンスストアでの通帳記帳は現状では不可能であり、通帳記帳を行うためには、ＡＴＭとは別にオンライン接続された通帳記帳が可能な装置を設置することが必要となる。但し、通帳記帳用の装置を設置するとしても、通帳の磁気ストライプの位置が金融機関によって全く異なるので、磁気ストライプをどのように正確に読み取るかという問題が発生する。
【先行技術文献】
【特許文献】
【０００７】
【特許文献１】特開２００１−２０２５６７号公報
【発明の概要】
【発明が解決しようとする課題】
【０００８】
本発明は、複数の金融機関より発行される異なる仕様の通帳でも、記帳処理を可能とする技術を提供することを目的とする。
【課題を解決するための手段】
【０００９】
本発明は、上述の課題の少なくとも一部を解決するためになされたものであり、以下の形態又は適用例として実現することが可能である。
本発明の一形態は、通帳記帳システムであって、
複数の金融機関にそれぞれ用いられる個々の通帳に記帳すべき印字情報を配信する中継センタと、
前記中継センタにネットワークを介して接続され、前記中継センタから配信される印字情報に応じて記帳処理を実行可能な通帳記帳装置と、
通帳の磁気ストライプから口座識別情報を読み取り、前記口座識別情報に対応付けられた通帳ＩＤを取得するとともに、前記通帳ＩＤが登録されたＩＤシールを発行するＩＤ登録装置と、
を備え、
前記通帳記帳装置は、
前記磁気ストライプとは別に前記通帳に貼付された前記ＩＤシールから前記通帳ＩＤを読み取るＩＤ読取部と、
前記読み取った通帳ＩＤを含む印字情報要求を前記中継センタに送信して、前記中継センタから、前記通帳に記帳すべき印字情報を取得する印字情報取得部と、
前記通帳ＩＤに従って決定される前記通帳に適した印字フォームを用い、前記印字情報に従って前記通帳への印字を実行する通帳印字部と、
を備え、
前記通帳ＩＤは、前記磁気ストライプに記録されている口座識別情報を含まない固有識別情報であり、
前記ＩＤ登録装置は、前記口座識別情報を含むＩＤ発行要求を前記中継センタに送信し、
前記中継センタは、
（ｉ）前記ＩＤ登録装置から受けたＩＤ発行要求に応じて前記ＩＤ登録装置に通帳ＩＤを発行し、
（ｉｉ）前記通帳ＩＤの発行時に、前記通帳ＩＤと前記口座識別情報との対応関係を通帳情報データベースに登録するとともに、前記通帳ＩＤが貼付された通帳に印字すべき印字情報を前記通帳情報データベースを登録し、
（ｉｉｉ）前記通帳記帳装置から印字情報要求を受信すると、前記受信した印字情報要求に含まれる通帳ＩＤを用いて前記通帳情報データベースを参照して金融機関及び通帳を特定するとともに、特定した通帳に適した印字情報を前記通帳記帳装置に返信する、通帳記帳システムである。
このシステムによれば、通帳記帳装置が、通帳から読み取られた通帳ＩＤを含む印字情報要求に応じて中継センタが通帳に記帳すべき印字情報を返信するので、この印字情報と、通帳ＩＤに従って決定される印字フォームとを用いて通帳への印字を実行することができ、複数の金融機関より発行される異なる仕様の通帳でも、記帳処理が可能となる。また、通帳ＩＤが登録されたＩＤシールを発行して、通帳に貼付することが可能である。更に、口座識別情報を含まない通帳ＩＤを発行して、通帳と対応付けることが可能である。また、この通帳ＩＤを含む印字情報要求に応じて、適切な印字情報を通帳記帳装置に送信することが可能である。
【００１０】
［適用例１］
通帳記帳システムであって、
複数の金融機関にそれぞれ用いられる個々の通帳に記帳すべき印字情報を配信する中継センタと、
前記中継センタにネットワークを介して接続され、前記中継センタから配信される印字情報に応じて記帳処理を実行可能な通帳記帳装置と、
を備え、
前記通帳記帳装置は、
磁気ストライプとは別に通帳に貼付された通帳ＩＤを前記通帳から読み取るＩＤ読取部と、
前記読み取った通帳ＩＤを含む印字情報要求を前記中継センタに送信して、前記中継センタから、前記通帳に記帳すべき印字情報を取得する印字情報取得部と、
前記通帳ＩＤに従って決定される前記通帳に適した印字フォームを用い、前記印字情報に従って前記通帳への印字を実行する通帳印字部と、
を備える通帳記帳システム。
このシステムによれば、通帳記帳装置が、通帳から読み取られた通帳ＩＤを含む印字情報要求に応じて中継センタが通帳に記帳すべき印字情報を返信するので、この印字情報と、通帳ＩＤに従って決定される印字フォームとを用いて通帳への印字を実行することができ、複数の金融機関より発行される異なる仕様の通帳でも、記帳処理が可能となる。
【００１１】
［適用例２］
適用例１記載の通帳記帳システムであって、
前記印字情報取得部は、前記印字情報要求の応答として、前記中継センタから、前記印字情報とともに前記通帳に適した印字フォームの種類を示す印字フォームタイプ情報を取得し、
前記通帳印字部は、予め用意された複数の印字フォームの中から、前記印字フォームタイプ情報に従って前記前記通帳に適した印字フォームを選択する、通帳記帳システム。
この構成によれば、中継センタから返信される印字フォームタイプ情報に従って、複数の印字フォームの中から適切な印字フォームを決定することが可能である。
【００１２】
［適用例３］
適用例１記載の通帳記帳システムであって、
前記通帳印字部は、予め用意された複数の印字フォームの中から、前記通帳ＩＤに従って前記通帳に適した印字フォームを選択する、通帳記帳システム。
この構成によれば、通帳記帳装置自身で、通帳ＩＤから適切な印字フォームを決定することが可能である。
【００１３】
［適用例４］
適用例１記載の通帳記帳システムであって、
前記印字情報取得部は、前記印字情報要求の応答として、前記中継センタから、前記印字情報とともに前記通帳に適した印字フォームを取得する、通帳記帳システム。
この構成によれば、中継センタから印字フォームそれ自体を取得するので、印字フォームの変更が容易である。
【００１４】
［適用例５］
適用例１ないし４のいずれか一項に記載の通帳記帳システムであって、さらに、
前記通帳の磁気ストライプから口座識別情報を読み取り、前記口座識別情報に対応付けられた通帳ＩＤを取得するとともに、前記通帳ＩＤが登録されたＩＤシールを発行するＩＤ登録装置を備え、
前記ＩＤ読取部は、前記通帳に貼付されたＩＤシールから通帳ＩＤを読取る、通帳記帳システム。
この構成によれば、通帳ＩＤが登録されたＩＤシールを発行して、通帳に貼付することが可能である。
【００１５】
［適用例６］
適用例５記載の通帳記帳システムであって、
前記通帳ＩＤは、前記磁気ストライプに記録されている口座識別情報を含まない固有識別情報であり、
前記ＩＤ登録装置は、前記口座識別情報を含むＩＤ発行要求を前記中継センタに送信し、
前記中継センタは、
（ｉ）前記ＩＤ登録装置から受けたＩＤ発行要求に応じて前記ＩＤ登録装置に通帳ＩＤを発行し、
（ｉｉ）前記通帳ＩＤの発行時に、前記通帳ＩＤと前記口座識別情報との対応関係を通帳情報データベースに登録するとともに、前記通帳ＩＤが貼付された通帳に印字すべき印字情報を前記通帳情報データベースを登録し、
（ｉｉｉ）前記通帳記帳装置から印字情報要求を受信すると、前記受信した印字情報要求に含まれる通帳ＩＤを用いて前記通帳情報データベースを参照して金融機関及び通帳を特定するとともに、特定した通帳に適した印字情報を前記通帳記帳装置に返信する、通帳記帳システム。
この構成によれば、口座識別情報を含まない通帳ＩＤを発行して、通帳と対応付けることが可能である。また、この通帳ＩＤを含む印字情報要求に応じて、適切な印字情報を通帳記帳装置に送信することが可能である。
【００１６】
なお、本発明は、種々の形態で実現することが可能であり、例えば、通帳記帳方法及び装置、そのための制御方法及び装置、それらの方法または装置の機能を実現するためのコンピュータプログラム、そのコンピュータプログラムを記録した記録媒体等の形態で実現することができる。なお、記録媒体としては、ＣＤ−ＲＯＭや、ＤＶＤ、ハードディスク装置などの実体的な記録媒体を利用可能である。
【図面の簡単な説明】
【００１７】
【図１】本発明の第１実施形態としての通帳記帳システムの構成を示す説明図である。
【図２】通帳ＩＤ発行の手順を示すフローチャートである。
【図３】ＩＤシールの発行と貼付の様子を示す説明図である。
【図４】通帳情報データベースの登録内容の一例を示す説明図である。
【図５】通帳記帳機の内部構成の一例を示す説明図である。
【図６】ＩＤシールが貼付された通帳を用いた記帳処理の手順を示すフローチャートである。
【図７】２種類の通帳における印字状態の例を示す説明図である。
【図８】本発明の第２実施形態としての通帳記帳システムの構成を示す説明図である。
【発明を実施するための形態】
【００１８】
A．第１実施形態：
図１は、本発明の第１実施形態としての通帳記帳システムの構成を示す説明図である。この通帳記帳システムは、中継センタ１００と、店舗３００内に設置されたＩＤ登録装置３１０及び通帳記帳機（通帳記帳装置）３２０と、を備えている。中継センタ１００と、ＩＤ登録装置３１０と、通帳記帳機３２０とは、第１のネットワークを介して互いに接続されている。中継センタ１００は、更に、複数の金融機関のデータセンタ２１０，２２０と第２のネットワークを介して接続されている。
【００１９】
中継センタ１００は、複数の金融機関のデータセンタ２１０，２２０から印字情報や印字フォームタイプ情報（後述する）を取得して格納し、また、通帳記帳機３２０からの要求に応じてこれらの情報を配信する機能を有する。中継センタ１００を、「印字情報配信センタ」と呼ぶことが可能であり、また、「中継装置」又は「印字情報配信装置」と呼ぶことも可能である。図１の例では、中継センタ１００は、通帳情報管理サーバ１１０と、通帳情報データベース１２０とを備えている。通帳情報データベース１２０には、個々の通帳に割り当てられたＩＤ（「通帳ＩＤ」とも呼ぶ）と磁気ストライプ情報との対応関係と、その通帳に印字すべき内容を示す印字情報とが登録されている。通帳情報管理サーバ１１０は、通帳のＩＤと磁気ストライプ情報との対応関係を通帳情報データベース１２０に登録する機能と、通帳記帳機３２０からの要求に応じて記帳すべき印字情報を提供する機能とを有する。
【００２０】
ＩＤ登録装置３１０は、通帳ＰＢの磁気ストライプから磁気ストライプ情報（「ＭＳ情報」と呼ぶ）を読み取るＭＳ読取部３１２と、中継センタ１００の通帳情報管理サーバ１１０から発行される通帳ＩＤを利用してＩＤシールＳＬを作成するＩＤシール発行部３１４とを有している。発行されたＩＤシールＳＬは、通帳ＰＢの使用者によって通帳に貼付される。なお、ＩＤシールＳＬは、通常はシート状の形状に形成されるので「ＩＤシート」と呼ぶことも可能である。通帳記帳機３２０は、通帳に貼付されたＩＤシールＳＬから通帳ＩＤを読取るＩＤ読取部３２２と、通帳情報管理サーバ１１０から送信された印字情報に従って印字処理（記帳処理）を実行する通帳印字部３２４とを有している。
【００２１】
図２は、ＩＤ登録装置３１０を用いた通帳ＩＤ発行の手順を示すフローチャートであり、図３は、ＩＤシールの発行と貼付の様子を示す説明図である。なお、図２において、一重線のブロックはＩＤ登録装置３１０で実行されるステップを示し、二重線のブロックは中継センタ１００で実行されるステップを示している。まず、ステップＳ１００では、ＭＳ読取部３１２を用いて通帳のＭＳ情報を読み取る。ＭＳ情報は、その通帳を用いた取引を行う際に通帳口座を識別可能な口座識別情報を含んでいる。口座識別情報は、金融機関名と、口座番号と、氏名と、通帳種別とを含んでいる。図３（Ａ）にも例示されているように、異なる金融機関の通帳ＰＢａ，ＰＢｂは、磁気ストライプＭＳの位置や大きさが異なる場合が多い。そこで、種々の通帳の磁気ストライプＭＳからＭＳ情報を読み取ることができるようにするために、ＭＳ読取部３１２は、操作者が手動で磁気ストライプＭＳの上を走査させる方式のものを採用することが好ましい。但し、ＭＳ読取部３１２としては、スロット内に通帳を通過させる際にＭＳ情報を読み取る自動走査読取方式の装置を採用することも可能である。
【００２２】
図２のステップＳ１１０では、ＩＤ登録装置３１０のＩＤシール発行部３１４が、通帳から読み取られたＭＳ情報を中継センタ１００に送信して、ＭＳ情報の登録及び通帳ＩＤの発行を要求する。ステップＳ１２０では、中継センタ１００の通帳情報管理サーバ１１０が、ＭＳ情報を通帳情報データベース１２０に登録するとともに、ＭＳ情報に対応付けられた通帳ＩＤを発行する。
【００２３】
図４は、通帳情報データベース１２０の登録内容の一例を示す説明図である。この通帳情報データベース１２０には、通帳ＩＤと、ＭＳ情報（口座識別情報）と、印字状態情報と、未印字情報と、印字フォームタイプ情報とが含まれている。ＭＳ情報には、金融機関名と、口座番号と、氏名と、通帳種別とが含まれている。通帳情報管理サーバ１１０は、ＩＤ登録装置３１０からＭＳ情報登録の要求を受けると、そのＭＳ情報が通帳情報データベース１２０に既に登録されているか否かを調べ、未登録の場合には、そのＭＳ情報をデータベース１２０に新規登録するとともに、新たな通帳ＩＤを発行し、その通帳ＩＤをＭＳ情報に対応付けてデータベース１２０に登録する。この通帳ＩＤとしては、特に意味を持たない識別子を使用することが可能である。この理由は、通帳情報データベース１２０に通帳ＩＤとＭＳ情報との対応関係が登録されるので、通帳ＩＤ自体から通帳の口座を識別する必要が無いためである。但し、通帳ＩＤとしてＭＳ情報の一部又は全部を含むものを使用してもよい。なお、通帳情報データベース１２０には、通帳の磁気ストライプに記録されているすべての情報が登録される必要は無いが、少なくともその口座を識別する口座識別情報が通帳情報データベース１２０に登録されることが好ましい。
【００２４】
通帳情報データベース１２０には、更に、通帳毎に、印字状態情報と、未印字情報と、印字フォームタイプ情報とが登録される。印字状態情報は、その通帳の何頁の何行まで印字が完了しているかを示す情報である。未印字情報は、通帳に印字すべき内容（取引経過）を示す情報である。印字フォームタイプ情報は、通帳に適した印字フォームを識別する情報である。印字フォームタイプ情報としては、例えば、金融機関名と通帳種別とを識別する情報（「Ａ銀行の通帳タイプＡ１」等）を利用することが可能である。印字状態情報と未印字情報と印字フォームタイプ情報は、ＭＳ情報に応じて、各金融機関のデータセンタ２１０，２２０（図１）から供給される。なお、通帳情報データベース１２０に登録された通帳ＩＤは、通帳情報管理サーバ１１０からＩＤ登録装置３１０に返信される。
【００２５】
図２のステップＳ１３０では、ＩＤ登録装置３１０が、通帳情報管理サーバ１１０から通帳ＩＤを受信する。ステップＳ１４０では、ＩＤシール発行部３１４が、この通帳ＩＤを記録したＩＤシールＳＬを発行する。ＩＤシールＳＬは、図３（Ｂ）に示すように、通帳に貼付される。この例では、ＩＤシールＳＬとして、無線ＩＣタグ（ＲＦＩＤタグ）が利用されている。但し、ＩＤシールＳＬとしては、１次元バーコードや、２次元バーコード、ステルスインクにより通帳ＩＤが印字されたシールなどの、他の任意の形式で機械読取可能にＩＤを記録したものを利用することが可能である。ＩＤシールＳＬは、通帳の予め定められた位置（例えば裏表紙の中央）に貼付することが好ましい。こうすれば、ＩＤシールＳＬから通帳ＩＤを確実に読取ることが可能である。但し、無線ＩＣタグ形式のＩＤシールＳＬを用いると、ＩＤシールＳＬを貼付する位置の許容範囲が広いという利点がある。具体的には、無線ＩＣタグ形式のＩＤシールＳＬは、通帳の内部（例えば裏表紙の内面側）に貼付しても読み取りが可能であり、また、その貼付位置が多少ずれても正しく読み取りが可能である。こうして、通帳にＩＤシールＳＬが貼付されると、この通帳のみを用いて通帳記帳機３２０（図１）での記帳処理が可能となり、この際、キャッシュカードは不要である。
【００２６】
図５は、通帳記帳機３２０の内部構成の一例を示す説明図である。通帳記帳機３２０は、図１で説明したＩＤ読取部３２２及び通帳印字部３２４の他に、スキャナ３２６と、印字情報取得部３２８と、搬送機構３３０とを備えている。搬送機構３３０は、搬送路３３２と搬送ローラ３３４とを有しており、通帳記帳機３２０の前面に設けられた通帳挿入口３４０から挿入された通帳を、搬送路３３２に沿って搬送する。スキャナ３２６と通帳印字部３２４とＩＤ読取部３２２は、この搬送路３３２に沿って配置されている。
【００２７】
図６は、ＩＤシールが貼付された通帳を用いた記帳処理の手順を示すフローチャートである。図６において、一重線のブロックは通帳記帳機３２０で実行されるステップを示し、二重線のブロックは中継センタ１００で実行されるステップを示している。通帳が通帳記帳機３２０に挿入されると、ステップＳ２００において、ＩＤ読取部３２２がＩＤシールＳＬから通帳ＩＤを読み取り、また、スキャナ３２６が印字状態をスキャンしてその画像を読取る。ステップＳ２１０では、印字情報取得部３２８が、読取られた通帳ＩＤと印字状態とを含む印字情報要求を、通帳記帳機３２０から中継センタ１００に送信する。
【００２８】
図７は、２種類の通帳における印字状態の例を示す説明図である。図７（Ａ），（Ｂ）に示す２つの通帳では、印字フォーマットが互いに異なる。具体的には、印字される項目や、各行の幅及び高さが異なる。但し、通常の通帳においては、右上に頁数が印刷されており、左端部に行番号が記載されている点で共通している。スキャナ３２６は、このような通帳の頁の画像（印字状態画像）を取得する。
【００２９】
ステップＳ２２０では、通帳情報管理サーバ１１０が、通帳記帳機３２０から受信した印字状態が、通帳情報データベース１２０（図４）に登録されている印字状態情報が示す状態と一致するか否かが判定される。なお、通帳情報データベース１２０の印字状態情報は、印字が終了している頁数と行数で表現されている。一方、通帳記帳機３２０のスキャナ３２６で読取られた印字状態は、画像である。この印字状態画像から、印字が終了している頁数と行数とを判定する処理は、通帳情報管理サーバ１１０又はスキャナ３２６によって実行することが可能である。通帳の実際の印字状態が、通帳情報データベース１２０に登録されている印字状態情報と一致しない場合には、ステップＳ２７０でエラーが通帳情報管理サーバ１１０から通帳記帳機３２０に送信され、ステップＳ２６０において通帳が返却される。一方、両者が一致した場合には、ステップＳ２３０において、印字情報要求の応答として、通帳情報データベース１２０に登録されている未印字状態情報と印字フォームタイプ情報が通帳記帳機３２０に送信される。
【００３０】
なお、ステップＳ２２０、Ｓ２７０は省略することも可能である。これらのステップＳ２２０，Ｓ２７０（印字状態の確認）を省略する場合には、通帳記帳機３２０のスキャナ３２６（図５）は不要であり、また、通帳情報データベース１２０内の印字状態情報も不要である。
【００３１】
通帳記帳機３２０の通帳印字部３２４は、ステップＳ２４０において、印字フォームタイプ情報に従って印字フォームを選択し、ステップＳ２５０において印字を実行する。図７で説明したように、通帳の印字フォームは、個々の金融機関毎に全く異なる。通帳印字部３２４は、記憶装置（図示省略）の中に、通帳記帳機３２０で記帳処理可能なすべての金融機関の通帳にそれぞれ適した印字フォームを、予め中継センタ１００を介して取得し格納している。通帳印字部３２４は、印字フォームタイプ情報と印字情報を受け取ると、予め用意された複数の印字フォームの中から適切な印字フォームを選択して、印字を実行することが可能である。通帳の印字が完了すると、ステップＳ２６０で通帳が排出されて返却される。
【００３２】
以上のように、第１実施形態では、通帳の磁気ストライプとは別に通帳にＩＤシールを貼付するので、異なる金融機関の通帳に共通するほぼ同じ位置にＩＤシールを貼付することができる。この結果、通帳記帳機３２０において、磁気ストライプを読み取る場合に比べて、通帳ＩＤをより容易かつ確実に読み取ることが可能である。また、第１実施形態では、中継センタ１００に、通帳ＩＤと磁気ストライプ情報（又は口座識別情報）との対応関係と、その通帳の未印字状態とが登録されており、通帳ＩＤを含む印字情報要求に応じてその未印字情報が中継センタ１００から通帳記帳機３２０に送信されるので、複数の金融機関の通帳に対して、通帳のみを用いて、同一の通帳記帳機３２０で記帳処理を実行することが可能である。
【００３３】
B．第２実施形態
図８は、本発明の第２実施形態としての通帳記帳システムの構成を示す説明図である。図１に示した第１実施形態のシステムとの違いは、中継センタ１００ａ内に、通帳情報管理サーバ１１０及び通帳情報データベース１２０を設ける代わりに通帳情報中継サーバ１３０を設けた点、及び、ＩＤ登録装置３１０ａが中継センタ１００ａに接続されておらず孤立している（スタンドアロン型である）点、の２点である。他の構成は、第１実施形態と同じである。
【００３４】
第２実施形態においては、ＩＤ登録装置３１０ａは、通帳ＰＢから磁気ストライプ情報を読み取り、通帳ＩＤとして磁気ストライプ情報（又は口座識別情報）が登録されたＩＤシールＳＬを発行する。すなわち、ここでは磁気ストライプ情報（又は口座識別情報）自体が通帳ＩＤとして使用されるので、ＩＤ登録装置３１０ａは、他の装置に接続されている必要が無い。
【００３５】
通帳記帳機３２０は、通帳に貼付されているＩＤシールから通帳ＩＤ（＝磁気ストライプ情報又は口座識別情報）を読取って中継センタ１００ａの通帳情報中継サーバ１３０に印字情報要求を送信する。通帳情報中継サーバ１３０は、その印字情報要求を個々の銀行のデータセンタ２１０，２２０に送信する。また、いずれかの銀行のデータセンタから、その通帳ＩＤに適した印字情報と印字フォームタイプ情報を受信すると、通帳情報中継サーバ１３０は、それらの情報を通帳記帳機３２０に返信する。従って、通帳記帳機３２０は、この印字情報と印字フォームタイプ情報を用いて記帳処理を実行することが可能である。なお、この記帳処理の全体手順は図６に示したものと同じである。
【００３６】
この第２実施形態においても、第１実施形態とほぼ同様な効果を奏することが可能である。なお、第２実施形態では、通帳ＩＤとして磁気ストライプ情報（又は口座識別情報）自体を使用するので、ＩＤシールＳＬには、その通帳ＩＤを改変し難いものとすることが好ましい。この意味では、２次元バーコードや、無線ＩＣタグなどを使用することが好ましい。
【００３７】
C．変形例
なお、この発明は上記の実施例や実施形態に限られるものではなく、その要旨を逸脱しない範囲において種々の態様において実施することが可能であり、例えば次のような変形も可能である。
【００３８】
C１．変形例１：
通帳記帳機（通帳記帳装置）は、記帳専門の装置として実現しても良く、あるいは、ＡＴＭの一部として実現しても良い。また、ＩＤ登録装置と通帳記帳機は、別体の装置として実現してもよく、同じ筐体内に収納された１個のまとまった装置として実現することも可能である。
【００３９】
C２．変形例２：
上記各実施形態では、使用すべき印字フォームは、印字情報要求の応答として中継センタから返信される印字フォームタイプ情報に従って決定されるものとしていたが、他の方法で印字フォームを決定するようにしても良い。第１の例として、通帳記帳機（特に通帳印字部）自身が、通帳ＩＤに基づいて印字フォームを決定するようにしてもよい。この場合に、上記第２実施形態では、通帳ＩＤが口座識別情報を含むので、通帳ＩＤから口座識別情報を抽出し、その口座の通帳に適した印字フォームを、予め通帳記帳機内に用意された複数の印字フォームの中から選択することが可能である。第２の例として、中継センタが、印字フォームタイプ情報の代わりに、印字フォーム自体を印字情報要求の応答の一部として通帳記帳機に返信するようにしても良い。こうすれば、個々の金融機関で印字フォームが変更された場合に、直ちにその変更を反映することが可能である。これらのいずれの場合にも、使用される印字フォームが通帳ＩＤに従って決定されるという点で共通していることが理解できる。
【符号の説明】
【００４０】
１００…中継センタ
１１０…通帳情報管理サーバ
１２０…通帳情報データベース
１３０…通帳情報中継サーバ
２１０，２２０…金融機関のデータセンタ
３００…店舗
３１０…ＩＤ登録装置
３１２…ＭＳ読取部
３１４…ＩＤシール発行部
３２０…通帳記帳機（通帳記帳装置）
３２２…ＩＤ読取部
３２４…通帳印字部
３２６…スキャナ
３２８…印字情報取得部
３３０…搬送機構
３３２…搬送路
３３４…搬送ローラ
３４０…通帳挿入口
【図１】
0005385112.tif 000002
【図２】
0005385112.tif 000003
【図３】
0005385112.tif 000004
【図４】
0005385112.tif 000005
【図５】
0005385112.tif 000006
【図６】
0005385112.tif 000007
【図７】
0005385112.tif 000008
【図８】
0005385112.tif 000009